(57)【要約】【課題】医師に対して薬剤を効果的に提示できる処方薬管理システムを提供する。【解決手段】医師が処方する薬剤の情報を管理する処方薬管理システムであって、各病状と各病状に対応付けられた薬剤を管理する病状薬剤情報と、医師端末に表示される各病状に対応する薬剤一覧の表示枠の少なくとも一部に設定される優先表示枠に薬剤を表示する表示権を管理するための表示権管理情報とを記憶する記憶手段と、病状薬剤情報に格納された病状毎に設定された優先表示枠について、表示権の取得者を決定し、病状毎に表示権の取得者と表示権が付与された薬剤を表示権管理情報に登録する表示権設定処理手段と、特定の病状が選択されると、病状薬剤情報に基づいて、特定の病状に対応付けられた薬剤一覧を取得し、表示権管理情報に基づいて、特定の病状に設定された優先表示枠には、表示権が付与された薬剤を表示する薬剤一覧表示処理手段とを備える。【選択図】  図１
2018081524.tif 000002
【特許請求の範囲】
【請求項１】
医療機関に設置される医師端末にネットワークを介して接続し、医師が処方する薬剤の情報を管理する処方薬管理システムであって、
各病状と前記各病状に対応付けられた薬剤を管理する病状薬剤情報と、前記医師端末に表示される前記各病状に対応する薬剤一覧の表示枠の少なくとも一部に設定される優先表示枠に薬剤を表示する表示権を管理するための表示権管理情報とを記憶する記憶手段と、
前記病状薬剤情報に格納された病状毎に設定された前記優先表示枠について、表示権の取得者を決定し、病状毎に前記表示権の取得者と前記表示権が付与された薬剤を前記表示権管理情報に登録する表示権設定処理手段と、
特定の病状が選択されると、前記病状薬剤情報に基づいて、前記特定の病状に対応付けられた薬剤一覧を取得し、前記表示権管理情報に基づいて、前記特定の病状に設定された前記優先表示枠には、前記表示権が付与された薬剤を前記医師端末に表示する薬剤一覧表示処理手段と、
を備えることを特徴とする処方薬管理システム。
【請求項２】
前記表示権設定処理手段は、ある病状について設定された表示優先順位が異なる複数の優先表示枠について、表示優先順位毎に個別に表示権を決定することを特徴とする請求項１に記載の処方薬管理システム。
【請求項３】
前記表示権設定処理手段は、ある病状について設定された表示優先順位が異なる複数の優先表示枠について、共通して複数の表示権を決定することを特徴とする請求項１に記載の処方薬管理システム。
【請求項４】
前記薬剤一覧表示処理手段は、前記表示権が付与されていない薬剤を前記医師端末の前記表示権が付与された薬剤の下位に表示することを特徴とする請求項１乃至３の何れか１項に記載の処方薬管理システム。
【請求項５】
前記記憶手段は、さらに患者の診察において医師が決定した処方オーダーを管理する処方オーダー情報を記憶し、
前記医師端末において表示された薬剤一覧から医師が選択した薬剤を含む処方オーダーを前記処方オーダー情報に登録する処方オーダー作成処理手段をさらに備えることを特徴とする請求項１乃至４の何れか１項に記載の処方薬管理システム。
【請求項６】
前記処方オーダー処理手段は、前記優先表示枠に表示された薬剤が処方オーダーに選択された場合、当該薬剤が処方オーダーに採用された実績を当該薬剤に付与された表示権の取得者に開示することを特徴とする請求項５に記載の処方薬管理システム。
【請求項７】
前記優先表示枠に表示された薬剤が処方オーダーに採用された実績に基づいて、当該薬剤に付与された表示権の取得者に対し対価を算出する対価算出処理手段を備えることを特徴とする請求項５又は６に記載の処方薬管理システム。
【請求項８】
前記表示権設定処理手段は、入札形式で表示権の取得者を決定することを特徴とする請求項１乃至７の何れか１項に記載の処方薬管理システム。
【請求項９】
前記処方薬管理システムを管理するための管理端末を有し、
前記表示権設定処理手段は、
優先表示枠を設定する病状を入力可能な入札準備画面を前記管理端末に表示し、
前記入札準備画面で入力された病状に対し、優先表示枠を設定し、
前記設定された優先表示枠について入札形式で表示権の取得者を決定することを特徴とする請求項８に記載の処方薬管理システム。
【請求項１０】
前記表示権設定処理手段は、前記病状薬剤情報に基づいて、前記入札準備画面で入力された病状に対応付けられた薬剤の数を前記管理端末に表示し、
前記管理端末は、優先表示枠の数及び表示優先順位も入力可能であることを特徴とする請求項９に記載の処方薬管理システム。
【請求項１１】
前記処方薬管理システムは複数の事業者端末と接続し、
前記表示権設定処理手段は、
ある入札について、前記事業者端末に入札情報を入力可能な入札画面を表示し、
前記入札画面に入力された入札金額に基づいて決定された落札者に対し、決算処理を要求し、
前記決算処理が実行された場合、前記落札者を表示権の取得者として登録することを特徴とする請求項９又は１０に記載の処方薬管理システム。
【請求項１２】
入札の決済を処理する決算処理手段を備え、
前記決算処理手段は、
前記表示権の取得者が入札により決定した後、前記取得者に入札金額の一部を請求し、
前記優先表示枠に表示された薬剤が処方オーダーに選択された場合、前記入札金額の残りを請求するように構成されることを特徴とする請求項８乃至１１の何れか１項に記載の処方薬管理システム。
【発明の詳細な説明】
【技術分野】
【０００１】
本発明は、医師が処方する薬剤の情報を管理する処方薬管理システムに関する。
【背景技術】
【０００２】
医療機関では、電子カルテシステムなどを介して、医師が診察において特定された病名と病名に対応する処方の内容が決定され、処方オーダーが決定される。従来、病名に対応する複数の処方薬を医師に提示して、医師に特定の処方薬を選択させる技術が提案されている（例えば、特許文献１参照）。
【０００３】
特許文献１に記載の処方薬管理システムでは、レセプト（診療報酬明細書）や電子カルテ等に記載された診察結果を収集して診察結果データベースを構成したので、検索対象の病名に対して他の機関等の処方の情報を取得できる、とされている。具体的には、検索対象の病名のヒット数、かかる病名に対して処方された処方薬のヒット数、処方薬毎のヒット数と占有割合などが特定され、かかる検索結果を処方薬検索画面に表示される。これにより、医師は、他の機関がどのような処方を行っているかを参考にできる。
【０００４】
さらに、特許文献１に記載の処方薬管理システムでは、製薬会社等の広告主が病名に対応する商品情報を表示することができ、医師が病名で検索すると、検索結果を統計的に表示するとともに、病名の検索結果のリストの近辺に対応する広告情報を表示できることが記載されている。これにより、製薬会社等は、医師が検索した病名に対して、広告情報を提供することができる。
【先行技術文献】
【特許文献】
【０００５】
【特許文献１】特開２０１０−１２８７１８号公報
【発明の概要】
【発明が解決しようとする課題】
【０００６】
しかしながら、特許文献１に記載の処方薬管理システムにおいては、検索対象の病名に対して採用実績の高い処方薬が検索結果として表示され、さらに、その近辺に対応する広告情報が表示されるが、広告情報は、統計的に表示する検索結果のリストと併記されるので、費用を投じて広告宣伝を行っても、統計的に示される検索結果の上位に対象の商品が含まれていない、又は複数の医師に採用されている実績が少ないことが明らかになれば、広告宣伝対象の薬剤の採用を促すことができず、広告宣伝効果が十分に発揮されない可能性がある。また、特許文献１には、広告情報の表示順位を対価情報に応じて設定できると記載されているが、具体的な入札方法や処理については記載されていない。
【０００７】
また、特許文献１の技術によれば、商品情報と対価情報が関連付けられており、対価情報によって広告情報の表示順位が順次決まるので、対価情報を持つ商品情報が多い場合には広告表示部内の下位に表示されてしまい広告費用を支払ったとしても広告宣伝効果が十分に発揮されない場合がある。さらに、広告費用を投じた製薬会社等は、宣伝した薬剤が診察の場面で処方薬として実際に採用されたか否か確認することができないので、費用対効果を把握することも難しい。また、処方薬として採用された実績が少ないのであれば、製薬会社等において広告費用を投じる動機も失われる。
【０００８】
本発明は、前述した問題に鑑みてなされたものであって、かかる問題の少なくとも一つを解決することができる処方薬管理システムを提供することを目的とする。
【課題を解決するための手段】
【０００９】
前述した課題を解決するため、本発明の処方薬管理システムは、医療機関に設置される医師端末にネットワークを介して接続し、医師が処方する薬剤の情報を管理する処方薬管理システムであって、各病状と前記各病状に対応付けられた薬剤を管理する病状薬剤情報と、前記医師端末に表示される前記各病状に対応する薬剤一覧の表示枠の少なくとも一部に設定される優先表示枠に薬剤を表示する表示権を管理するための表示権管理情報とを記憶する記憶手段と、前記病状薬剤情報に格納された病状毎に設定された前記優先表示枠について、表示権の取得者を決定し、病状毎に前記表示権の取得者と前記表示権が付与された薬剤を前記表示権管理情報に登録する表示権設定処理手段と、特定の病状が選択されると、前記病状薬剤情報に基づいて、前記特定の病状に対応付けられた薬剤一覧を取得し、前記表示権管理情報に基づいて、前記特定の病状に設定された前記優先表示枠には、前記表示権が付与された薬剤を前記医師端末に表示する薬剤一覧表示処理手段と、を備えることを特徴とする。
【００１０】
また、上記処方薬管理システムにおいて、前記表示権設定処理手段は、ある病状について設定された表示優先順位が異なる複数の優先表示枠について、表示優先順位毎に個別に表示権を決定してもよいし、共通して複数の表示権を決定してもよい。
【００１１】
また、上記処方薬管理システムにおいて、前記薬剤一覧表示処理手段は、前記表示権が付与されていない薬剤を前記医師端末の前記表示権が付与された薬剤の下位に表示してもよい。
【００１２】
また、上記処方薬管理システムにおいて、前記記憶手段は、さらに患者の診察において医師が決定した処方オーダーを管理する処方オーダー情報を記憶し、前記医師端末において表示された薬剤一覧から医師が選択した薬剤を含む処方オーダーを前記処方オーダー情報に登録する処方オーダー作成処理手段をさらに備えることが好ましい。
【００１３】
また、上記処方薬管理システムにおいて、前記処方オーダー処理手段は、前記優先表示枠に表示された薬剤が処方オーダーに選択された場合、当該薬剤が処方オーダーに採用された実績を当該薬剤に付与された表示権の取得者に開示することが好ましい。
【００１４】
また、上記処方薬管理システムにおいて、前記優先表示枠に表示された薬剤が処方オーダーに採用された実績に基づいて、当該薬剤に付与された表示権の取得者に対し対価を算出する対価算出処理手段を備えていてもよい。
【００１５】
また、上記処方薬管理システムにおいて、前記表示権設定処理手段は、入札形式で表示権の取得者を決定してもよく、前記処方薬管理システムを管理するための管理端末を有し、前記表示権設定処理手段は、優先表示枠を設定する病状を入力可能な入札準備画面を前記管理端末に表示し、前記入札準備画面で入力された病状に対し、優先表示枠を設定し、前記設定された優先表示枠について入札形式で表示権の取得者を決定してもよい。
【００１６】
また、上記処方薬管理システムにおいて、前記表示権設定処理手段は、前記病状薬剤情報に基づいて、前記入札準備画面で入力された病状に対応付けられた薬剤の数を前記管理端末に表示し、前記管理端末は、優先表示枠の数及び表示優先順位も入力可能であってもよい。
【００１７】
また、上記処方薬管理システムにおいて、前記処方薬管理システムは複数の事業者端末と接続し、前記表示権設定処理手段は、ある入札について、前記事業者端末に入札情報を入力可能な入札画面を表示し、前記入札画面に入力された入札金額に基づいて決定された落札者に対し、決算処理を要求し、前記決算処理が実行された場合、前記落札者を表示権の取得者として登録してもよい。
【００１８】
また、上記処方薬管理システムにおいて、入札の決済を処理する決算処理手段を備え、前記決算処理手段は、前記表示権の取得者が入札により決定した後、前記取得者に入札金額の一部を請求し、前記優先表示枠に表示された薬剤が処方オーダーに選択された場合、前記入札金額の残りを請求するように構成されてもよい。
【発明の効果】
【００１９】
本発明によれば、特定の病状に対応付けられている複数の薬剤の少なくとも一部に、入札を介して事業者に販売された表示権を付与し、医師が処方オーダーを決定する際に、医師端末に表示権が付与された薬剤を他の薬剤（表示権を付与されていない薬剤）に対して優先的に表示するように構成したので、医師に対して、表示権を取得した事業者の取り扱う薬剤情報を優先的に提供することができる。その他の効果については、発明を実施するための形態において述べる。
【図面の簡単な説明】
【００２０】
【図１】本発明の処方薬管理システムの全体構成の一例を示す概略図
【図２】病状薬剤情報テーブルの一例を示す図
【図３】処方オーダー情報テーブルの一例を示す図
【図４】表示権設定情報テーブルの一例を示す図
【図５】入札資格者情報テーブルの一例を示す図
【図６】入札情報テーブルの一例を示す図
【図７】入札準備処理の一例を示すフローチャート
【図８】入札処理の一例を示すフローチャート
【図９】開札処理の一例を示すフローチャート
【図１０】開札結果通知処理の一例を示すフローチャート
【図１１】処方オーダー登録処理の一例を示すフローチャート
【図１２】処方オーダー入力画面の一例を示す図
【図１３】処方オーダー分析処理の一例を示すフローチャート
【図１４】会計処理の一例を示すフローチャート
【図１５】処方オーダー入力画面の他の一例を示す図
【発明を実施するための形態】
【００２１】
［本発明の概要］
図１は、本発明の処方薬管理システム１の全体構成の一例を示す概略図である。本発明の処方薬管理システム１は、医師が処方する薬剤の情報を管理し、医師による処方オーダーの登録を支援するシステムであり、医師端末５に表示され、処方オーダーを入力するための処方オーダー入力画面１０（図１２参照）において、医師により特定の病状（病名、症状、容態を含む）が選択されると、選択された病状に対応付けられた薬剤の一覧が示される。処方オーダーとは、電子カルテ情報の一部であり、患者の診察において、医師が診断した病状と、かかる病状に対して処方される処方薬と、かかる処方薬の用法用量を含む情報であり、処方箋などを作成するための基礎となるものである。
【００２２】
そして、本発明では、特定の病状に対応付けられて表示される薬剤一覧の表示枠の少なくとも一部に優先表示枠を設定し、優先表示枠に表示する権利を事業者に販売し、処方オーダー入力画面１０等の病状に対する薬剤を選択する際に、表示権が付与された薬剤を優先表示枠に表示する。優先表示枠とは、例えば、薬剤一覧の上位に表示したり、大きく表示したり、着色、点滅、動作等の画像を装飾して表示したりして、他の薬剤よりも目立つように表示される枠である。優先表示枠は、病状毎に設定されるものであるが、複数の病状に共通して同じ優先表示枠が設定されてもよい。また、事業者とは、表示権の販売に参加する者であり、対象の薬剤を製造する製薬会社、対象の薬剤を販売する販売代理店、広告代理店などを含む。表示権の販売は、例えば、入札形式でもよいし、競売形式でもよいし、所定の金額で販売してもよいし、ジェネリック薬品など特定の相手に対して優先的に表示権を販売してもよい。このように薬剤一覧の表示枠の一部を優先表示枠として機能させるため、本発明では、医師が処方オーダーを決定する際に、表示権を取得した事業者の取り扱う薬剤情報を医師に対して優先的に提供することができる。また、優先表示枠の数は決まっており、表示権を有する特定の数の薬剤だけが優先的に表示されることから、医師への薬剤情報の提供効果が担保できる。
【００２３】
また、表示優先順位毎に個別に表示権を販売する構成を採用することにより、事業者は適宜の表示優先順位の表示権を購入することできる。例えば、一位から三位までの表示優先順位が設定された優先表示枠の場合、一位の優先表示枠は一番目立つように表示され、二位の優先表示枠は次に目立つように表示され、三位の優先表示枠は三番目に目立つように表示されるが、一位の金額は高くなることが予想されるため、事業者は、当該病状の治療薬の効果、値段、市場占有率などを考慮して、敢えて三位の優先表示枠を購入することも可能である。ただし、表示優先順位を共通して販売し、例えば、入札形式又は競売形式の場合は高額の事業者から順に表示優先順位を付与したり、通常の販売の場合は先着順に表示優先順位を付与したりしてもよい。
【００２４】
また、本発明では、表示権の付与された薬剤が処方薬として採用された場合、表示権の取得者に対象の薬剤が採用された実績を通知することができ、事業者は費用対効果を正しく把握することができる。さらに、本発明では、表示権の付与された薬剤が処方薬として採用された場合、採用された実績に基づいて表示権の取得者に対価を請求することもでき、事業者は実効的に機能した成果に対して費用を負担するため、効率的な費用対効果が得られる。
【００２５】
［処方薬管理システムの構成］
図１に示す処方薬管理システム１は、電子カルテ情報、レセプト作成情報などを作成及び管理するための電子カルテサーバ２と、特定の病状に対応付けられた複数の薬剤の少なくとも一部に付与された表示権を管理するための表示権管理サーバ４とを備え、必要に応じて、表示権を入札により販売した際の決済や、成果に基づく対価等を請求する会計サーバ６と、各サーバを管理するための管理端末７と、医師が操作する医師端末８と、表示権の取得を希望する事業者が操作する事業者端末９とを含んでもよい。各サーバ及び各端末は、ネットワーク１００を介して、相互に接続する。
【００２６】
電子カルテサーバ２は、電子カルテ情報などを管理する装置であるが、電子カルテ情報の一部である処方オーダーを管理する機能、病状に対応した薬剤一覧を表示する機能を有し、医療機関等に設置された医師端末８に、処方オーダー入力画面１０（図１２参照）を表示し、医師による処方オーダーの入力を支援することができる。電子カルテサーバ２は、例えば、各種のサーバ、パーソナルコンピュータ、メインフレーム等の計算機又はこれらの組み合わせによって構成することができる。電子カルテサーバ２は、プロセッサ及びメモリなどによって構成される制御手段２０、ハードディスク装置などによって構成される記憶手段２５、ネットワーク１００に接続するためのネットワークインターフェイス（図示省略）を必要に応じて備える。
【００２７】
制御手段２０は、プロセッサなどによって記憶手段２５に格納された各種プログラムをメモリに格納し、メモリに格納された各種プログラムを読み出して実行し、ハードウェアとプログラムとを協働させ、後述する処方オーダー登録処理（図１１参照）、処方オーダー分析処理（図１３参照）などを実行する処方オーダー処理手段２２と、例えば処方オーダーを登録する際に病状に対応する薬剤一覧を表示する薬剤一覧表示処理手段２４とを含む。また、制御手段２０は、利用者（医師）を認証する機能、外部システム（例えば、レセプト処理システムなど）と連携する機能、外部システムに構成された標準病状マスタなどを参照する機能などを実現してもよい。
【００２８】
記憶手段２５は、特定の病状に対応付けられた薬剤の情報を管理するための病状薬剤情報テーブル２６（図２参照）、処方オーダーを管理するための処方オーダー情報テーブル２７（図３参照）を格納し、そのほか、図示しない患者毎の電子カルテ情報を管理するための電子カルテ情報テーブル、レセプト情報を管理するためのレセプト情報テーブル、利用者（医師）の情報を管理するための利用者情報テーブルなどを格納してもよい。
【００２９】
表示権管理サーバ４は、特定の病状に対応付けられた薬剤一覧の表示枠の少なくとも一部に設定される優先表示枠、及び優先表示枠に表示する権利である表示権を管理する装置であり、例えば、各種のサーバ、パーソナルコンピュータ、メインフレーム等の計算機又はこれらの組み合わせによって構成することができる。表示権管理サーバ４は、プロセッサ及びメモリなどによって構成される制御手段４０、ハードディスク装置などによって構成される記憶手段４５、ネットワーク１００に接続するためのネットワークインターフェイス（図示省略）を必要に応じて備える。
【００３０】
制御手段４０は、プロセッサなどによって記憶手段４５に格納された各種プログラムをメモリに格納し、メモリに格納された各種プログラムを読み出して実行し、ハードウェアとプログラムとを協働させ、後述する入札準備処理（図７参照）、入札処理（図８参照）、開札処理（図９参照）、開札結果確認処理（図１０参照）などを実行する表示権設定処理手段４２を含む。また、制御手段４０は、利用者を認証する機能、外部システム（例えば、会計システムなど）と連携する機能などを実現してもよい。
【００３１】
記憶手段４５は、特定の病状に対応付けられた複数の薬剤の少なくとも一部に付与される表示権を管理するための表示権設定情報テーブル４６（図４参照）、表示権の入札販売に参加できる者を管理するための事業者情報テーブル４７（図５参照）、入札情報を管理するための入札情報テーブル４８（図６参照）を格納し、そのほか、表示権管理サーバ４に接続するための利用者（事業者）の認証情報などを格納してもよい。
【００３２】
会計サーバ６は、表示権管理サーバ４が実行する入札処理などと連携して、システムの利用者との会計上の処理を実行するものであり、例えば、各種のサーバ、パーソナルコンピュータ、メインフレーム等の計算機又はこれらの組み合わせによって構成することができ、適宜の会計処理プログラムを読み出して実行し、ハードウェアとプログラムとを協働させ、対価算出処理（図１３参照）を実行する対価算出処理手段６２、決算処理（図１４参照）を実行する決算処理手段６４を含む。
【００３３】
管理端末７は、処方薬管理システム１を管理する管理者が操作する装置であり、例えば、パーソナルコンピュータ等を採用することができ、管理ＧＵＩプログラムなどを有する。管理端末７は、システムの管理者に対し、サーバの構成、各種プログラム、各種情報を入力、設定及び変更するためのインターフェースを提供する。
【００３４】
医師端末８は、医療機関に設置され、医師（又は医師の指示のもと医療従事者）が操作する装置であり、パーソナルコンピュータ、タブレット端末、ＰＤＡ（Ｐｅｒｓｏｎａｌ  Ｄｉｇｉｔａｌ  Ａｓｓｉｓｔａｎｔ）、多機能携帯電話（スマートフォン、ｉ−ｐｈｏｎｅ（登録商標））などを採用することができる。医師端末８は、記憶手段、制御手段及びネットワークインターフェイスを備え、少なくとも、ネットワーク１００に接続する機能、電子カルテサーバ２から提供される電子カルテ情報を入力するための画面（処方オーダー入力画面１０を含む）を表示する機能、及び各種情報を入力する機能を有していればよい。
【００３５】
事業者端末９は、事業者が操作する装置であり、例えば、パーソナルコンピュータ等を採用することができる。事業者端末９は、記憶手段、制御手段及びネットワークインターフェイスを備え、少なくとも、ネットワーク１００に接続する機能、表示権管理サーバ４から提供される入札画面、開札結果確認画面などを表示する機能、及び各種情報を入力する機能を有していればよい。
【００３６】
ネットワーク１００は、特に限定されるものではなく、例えば、公衆電話網、ＩＳＤＮ（Ｉｎｔｅｇｒａｔｅｄ  Ｓｅｒｖｉｃｅ  Ｄｉｇｉｔａｌ  Ｎｅｔｗｏｒｋの略。デジタル総合サービス網とも呼ばれる。）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＣＡＴＶ（Ｃｏｍｍｕｎｉｔｙ  Ａｎｔｅｎｎａ  ＴｅｌｅＶｉｓｉｏｎ）網、光ファイバー網、無線ＬＡＮ（Ｌｏｃａｌ  Ａｒｅａ  Ｎｅｔｗｏｒｋ）、ＣＳ（Ｃｏｍｍｕｎｉｃａｔｉｏｎ  Ｓａｔｅｌｌｉｔｅ）放送、移動電話網等を利用することができる。
【００３７】
なお、図１に示した処方薬管理システム１の構成は単なる例示であり、これに限定されない。図１では、説明のため、電子カルテサーバ２と表示権管理サーバ４と会計サーバ６が例示されているが、各サーバが提供するサービスを例えば一つのサーバで実現してもよいし、一部のサービスを図示されていない他の外部サーバが実現してもよい。また、図１では、電子カルテサーバ２の制御手段２０において処方オーダー処理手段２２、薬剤一覧表示手段２４が構成され、表示権管理サーバ４の制御手段４０において表示権設定処理手段４２が構成され、会計サーバ６において、対価請求処理手段６２、決算処理手段６４が構成されているが、これらの各手段は、電子カルテサーバ２と表示権管理サーバ４と会計サーバ６との連携により実現するように構成されてもよいし、各手段が実行する一部の処理を各端末７〜９の制御手段において実行してもよい。
【００３８】
図２は、電子カルテサーバ２の記憶手段２５に格納される病状薬剤情報テーブル２６の構成の一例を示す図である。病状薬剤情報テーブル２６は、病状と薬剤との対応を関連付けた情報であり、対象病状２６１、診療科２６２、薬剤２６３、表示権管理ＩＤ２６４などを含む。対象病状２６１には、処方オーダーに登録可能な病状又はかかる病状を一意に特定する識別情報が格納される。病状の識別情報を介して、他のデータベースに構成された標準病状マスタから該当する病状を参照してもよい。診療科２６２は、対象の病状と関連の高い診療科の名称又はかかる診療科の識別情報が格納される。薬剤２６３には、病状に対応付けられた複数の薬剤の名称又はかかる薬剤の識別情報が格納される。薬剤の識別情報を介して、他のデータベースに構成された薬剤マスタから該当する薬剤を参照してもよい。表示権管理ＩＤ２６４は、表示権を特定するための識別情報であり、表示権管理ＩＤが記載されている行の対象病状（例えば「ＡＡＡ」、「ＢＢＢ」）と薬剤との組み合わせには表示権（優先表示枠）が既に設定されており、表示権管理ＩＤが記載されていない行の対象病状（例えば「ＣＣＣ」）と薬剤との組み合わせに対しては表示権（優先表示枠）が設定されていないことを示す。このように、病状薬剤情報テーブル２６の対象病状毎に表示権（優先表示枠）は設定されるが、対象病状のすべてに対して設定される必要はないし、複数の対象病状に同じ表示権管理ＩＤ２６４を格納することで、共通の表示権（優先表示枠）を設定できる。
【００３９】
図３は、処方オーダー情報テーブル２７の一例を示す図である。処方オーダー情報テーブル２７は、医師によって登録された処方オーダーを管理する情報であり、例えば、図１２に示す処方オーダー入力画面１０を介して、医師により入力された処方オーダーが登録される。処方オーダー情報テーブル２７は、患者２７１、診療科２７２、日付２７３、病状２７４、処方薬２７５、用法用量２７６などを含む。患者２７１には、患者の名称又は識別情報が格納される。診療科２７２には、患者の診察が行われた診療科の名称又は識別情報が格納される。日付２７３には、患者の診察が行われた日付の情報が格納される。病状２７４には、医師による患者の診察において、患者の状態から診断された病気の種類（病名）、症状、容態等が記載される。処方薬２７５には、医師により選択された処方薬が格納される。用法用量２７６には、対象の処方薬の用法用量に係る情報が格納される。
【００４０】
図４は、表示権管理サーバ４の記憶手段４５に格納される表示権設定情報テーブル４６の一例を示す図である。表示権設定情報テーブル４６は、各病状に対応付けられた優先表示枠（各表示優先順位の行）や、複数の薬剤の一部に付与される表示権を管理するための情報であり、表示権管理ＩＤ４６１、対象病状４６２、表示優先順位４６３、薬剤４６４、アナウンスメント４６５などを含む。
【００４１】
表示権管理ＩＤ４６１は、表示権を特定するための識別情報であり、表示権管理ＩＤ４６１に格納された内容は、図２の病状薬剤情報テーブル２６の表示権管理ＩＤ２６４に関連付けられる。また、表示権管理ＩＤ４６１は、後述する図６の入札情報テーブル４８の入札管理ＩＤに対応させてもよい。対象病状４６２には、優先表示枠が設定される病状が格納される。表示優先順位４６３には、優先表示枠の表示優先順位が設定される。優先表示枠に表示優先順位が設定されない場合は空欄又は同じ順位としてもよい。薬剤４６４には、表示権に基づき、対象の表示優先順位の優先表示枠に表示される薬剤名又はその識別情報などが格納される。アナウンスメント４６５には、対象の表示優先順位で表示される当該薬剤の情報（効果、用法、特徴等）が格納される。表示権取得者４６６は、表示権を落札した者又はその識別情報（事業者ＩＤなど）が格納される。
【００４２】
図５は、事業者情報テーブル４７の一例を示す図である。事業者情報テーブル４７は、事業者４７１、取扱薬剤４７２を含み、システム運営者が販売する表示権の入札に参加可能な事業者４７１（入札資格者）と、その事業者が取り扱う薬剤とが関連付けられている。事業者４７１には、事業者の名称又はその識別情報（事業者ＩＤなど）が格納され、取り扱い薬剤４７２には、その事業者が取り扱う薬剤の名称又はかかる薬剤の識別情報が格納される。
【００４３】
図６は、入札情報テーブル４８の一例を示す図である。入札情報テーブル４８は、システム運営者の主催により実施される表示権の入札販売に係る入札情報を管理するためのものであり、入札管理ＩＤ４８１、対象病状４８２、希望表示優先順位４８３、入札者４８４、薬剤４８５、アナウンスメント４８６、入札金額４８７、落札者４８８などを含む。
【００４４】
入札管理ＩＤ４８１には、入札を一意に特定するための識別情報が格納される。入札管理ＩＤは、図４に示す表示権管理ＩＤに対応させてもよい。対象病状４８２には、優先表示枠の対象となる薬剤一覧に対応する病状が格納される。希望表示優先順位４８３には、入札者が希望する表示優先順位が格納される。入札者４８４には対象の薬剤を当該希望順位で表示する表示権の入札をした者の名称又はその識別情報（事業者ＩＤなど）が格納される。薬剤４８５には、入札者が取扱う薬剤であって、表示権を付与したい薬剤又はその識別情報が格納される。アナウンスメント４８６には、対象の薬剤の情報（効果、用法、特徴等）が格納される。入札金額４８７には、当該入札に際して入札者が指定した金額が格納される。落札者４８８には、入札を落札したものに設定される。図６においては、入札管理ＩＤ４８１を基準として入札情報テーブル４８が作成されているが、入札者による各入札に対して入札ＩＤを付与して、入札ＩＤを基準として作成してもよい。
【００４５】
以下、本発明の処方薬管理システム１が提供する各種処理について、図１乃至図６も参照しながら説明する。
【００４６】
[入札準備処理]
まず、表示権管理サーバ４の表示権設定処理手段４２は、表示権の入札販売を事業者に案内するための入札準備処理を実行する。
【００４７】
図７は、入札準備処理の一例を示すフローチャートである。まず、表示権設定処理手段４２は、管理者に表示権の入札販売の対象となる病状と表示権の販売数量を入力させるための適宜の入札準備画面を管理端末７に表示する（Ｓ１０１）。この場合、表示権設定処理手段４２は、例えば、図２に示す病状薬剤情報テーブル２６を参照して、表示権管理ＩＤが設定されていない行をすべて取得し、表示権が設定されていない対象病状（例えば「ＣＣＣ」…）及び診療科などを入札準備画面に表示してもよい。これにより、管理者は、対象病状又は診療科を適宜選択することができる。また、表示権設定処理手段４２は、例えば、図４に示す表示権設定情報テーブル４６を参照して、表示権取得者４６６が格納されていない優先表示枠（例えば、入札準備時４６７の「ＢＢＢ」の「１位」及び「２位」）を検索し、当該優先表示枠の対象病状などを入札準備画面に表示してもよい。
【００４８】
次いで、表示権設定処理手段４２は、管理者が入札準備画面を介して入力した対象病状（例えば「ＢＢＢ」）、診療科などを取得する（Ｓ１０２）。また、入札準備画面には、取得した対象病状（例えば「ＢＢＢ」）に対応付けられた複数の薬剤（例えば「ａａａ」「ｂｂｂ」「ｃｃｃ」「ｄｄｄ」「ｅｅｅ」…）、薬剤の数量を表示してもよい。管理者は、対象病状に対応付けられた薬剤の数量に応じて、適宜の優先表示枠の数（例えば、二つ）と表示優先順位（例えば、１位と２位）を設定できることが好ましい。ただし、優先表示枠の数（例えば、１位と２位）は予め設定された固定値であってもよい。
【００４９】
表示権設定処理手段４２は、管理者が入札準備画面を介して入力した優先表示枠の販売数量（表示優先順位数）を取得すると（Ｓ１０３）、図４に示す表示権設定情報テーブルを更新する（Ｓ１０４）。具体的には、表示権設定処理手段４２は、図４に示す表示権設定情報テーブル４６の該当項目に、新たに付与した表示権管理ＩＤ（例えば「★★★」）と対象病状（例えば「ＢＢＢ」）と表示優先順位（例えば「１位」「２位」）の情報を登録し、２つの優先表示枠を設定する（表示権設定情報テーブル４６の入札準備時４６７参照）。なお、表示権設定情報テーブル４６に新たに登録された内容は、入札を準備するための情報であり、例えば、図６に示す入札情報テーブル４８の対応する項目に反映することが好ましい。また、表示権設定処理手段４２は、希望表示優先順位毎に異なる最低入札金額などを事前に設定してもよい。
【００５０】
そして、表示権設定処理手段４２は、各事業者の事業者端末９に対象病状（例えば「ＢＢＢ」）についての表示権を入札販売する旨（入札案内）を開示する（Ｓ１０５）。入札案内の開示は、ネットワーク１００上で各事業者に閲覧可能な状態に公開してもよいし、各事業者に対しメール等によって案内書を送信して公開してもよいし、別途案内書を送付して公開してもよい。また、登録している事業者の一部（例えば、入札参加者）のみに公開してもよいし、登録している事業者全部に公開してもよいし、特に制限なく一般に公開してもよい。表示権設定処理手段４２は、病状薬剤情報テーブル２６及び事業者情報テーブル４７を参照して、対象病状（例えば「ＢＢＢ」）に対応付けられた複数の薬剤（例えば「ａａａ」「ｂｂｂ」「ｃｃｃ」「ｄｄｄ」「ｅｅｅ」）を取り扱っている事業者（例えば「ＸＸＸ」「ＹＹＹ」「ＺＺＺ」「ＵＵＵ」「ＶＶＶ」）を特定し、少なくとも取扱い事業者に対して案内書を送信することが好ましい。さらに、対応する薬剤が登録されていない事業者に対しても案内書を送信してもよい。また、各事業者の事業者端末９から入力された事業者名、薬剤名、病状、入札管理ＩＤなどの情報に基づいて、入札可能な優先表示枠を検索できるようにすることが好ましい。例えば、事業者名で検索する場合は、図３に示す事業者情報テーブル４７を参照して検索対象の事業者名の取扱薬剤４７２を検索し、検索された取扱薬剤４７２のそれぞれについて、図２に示す病状薬剤情報テーブル２６を参照して対応付けられた対象病状２６２を検索し、検索された対象病状２６２に基づいて、図４に示す表示権設定情報テーブルを参照して設定された優先表示枠を検索結果として表示すればよい。
【００５１】
各事業者から入札に参加する申込みを受信すると（Ｓ１０６）、表示権設定処理手段４２は、所定の審査を経て条件を満たしていれば入札への参加を許諾する旨を送信する（Ｓ１０７）。入札への参加許諾の送信には、表示権管理サーバ４に接続するための認証情報（事業者ＩＤなどを含んでもよい）、入札条件（最低入札金額）、利用規約等を含めてもよい。また、表示権設定処理手段４２は、入札に係る入札管理ＩＤ（図４に示す表示権管理ＩＤ）を事業者端末９に通知することが好ましい。なお、事業者が条件を満たしていない場合（例えば、事業者情報が開示されていない場合、表示を希望する薬剤が対象病状に対応していない場合など）は、Ｓ１０７において事業者の事業者端末９に対し参加を認めない旨を送信する。
【００５２】
[入札処理]
図８は、入札処理の一例を示すフローチャートである。事業者端末９が認証情報に基づき、表示権管理サーバ４に接続すると、表示権設定処理手段４２は、事業者端末９に適宜の入札画面を表示する（Ｓ２０１）。事業者は、入札画面を介して、先に通知された自己の事業者ＩＤ、入札管理ＩＤなどを入力することができる。
【００５３】
表示権設定処理手段４２は、事業者ＩＤ、入札管理ＩＤ、検索結果などの情報に基づき、事業者端末９に対して提示する対象の入札を特定し（Ｓ２０２）、入札情報（例えば、希望表示優先順位、薬剤、アナウンスメント、入札金額など）を選択又は入力させるための欄を入札画面に表示する。または、表示権設定処理手段４２は、各事業者の事業者端末９から入力された事業者名、薬剤名、病状などの情報に基づいて、入札可能な優先表示枠を検索し、事業者端末９に選択させて対象の入札を特定してもよい（Ｓ２０２）。ここで、ある病状について設定された表示優先順位の異なる複数の優先表示枠について、表示優先順位毎に個別に入札させてもよいし、共通で入札させて入札金額（落札金額）の高い順に表示優先順位を付与させてもよい。また、表示権設定処理手段４２は、入札の目安として、表示順毎に最低入札金額、希望落札金額などを設定してもよい。これにより、事業者は、自己の予算に応じて、所望の表示優先順位の表示権に入札することができる。
【００５４】
表示権設定処理手段４２は、事業者（例えば「ＸＸＸ」）によって、希望表示優先順位（例えば「１位」）、薬剤（例えば「ａａａ」）、そのアナウンスメント及び入札金額などが入力され、入札画面の登録ボタンが操作されると、入札画面に表示された内容を入札情報として入札情報テーブル４８の所定の項目に登録する（Ｓ２０３）。なお、アナウンスメントについては、入札時ではなく落札後に入力させてもよい。
【００５５】
表示権設定処理手段４２は、対象の入札に対して、入札申込をしたすべての事業者が入札を終えた場合や、入札可能期間が終了した場合、希望落札金額の入札があった場合など所定のタイミングで入札を締め切る（Ｓ２０４）。さらに、表示権設定処理手段４２は、入札を終了した旨を入札に参加した各事業者の事業者端末９に通知してもよい。
【００５６】
[開札処理]
図９は、開札処理の一例を示すフローチャートである。開札処理では、まず、表示権設定処理手段４２は、管理端末７に適宜の開札画面を表示してもよい（Ｓ３０１）。表示権設定処理手段４２は、入札情報テーブル４８を参照して、表示優先順位毎に最も高い入札金額で入札したものを特定し、各表示優先順位（例えば「１位」「２位」）でそれぞれ表示権を落札した者（例えば「ＵＵＵ」「ＶＶＶ」）を入札情報テーブル４８の落札者４８８として決定する（Ｓ３０２）。なお、開札処理における落札者の特定は、管理者が入札情報を確認して落札者を入力してもよい。次いで、表示権設定処理手段４２は、落札者４８８に対し、落札したことを伝え、決算処理を要求する（Ｓ３０３）。表示権設定処理手段４２は、落札者４８８からの決算処理実行を確認した場合（Ｓ３０４のＹｅｓ）、落札者４８８を表示権設定情報テーブル４６の表示権取得者４６６（「ＵＵＵ」「ＶＶＶ」）として登録し、それぞれの入札情報を表示権設定情報テーブル４６の所定の項目に登録する（Ｓ３０５）。例えば、図４の下側の改札処理後４６８に示すように、表示権の取得者（「ＵＵＵ」「ＶＶＶ」）の入札情報が表示権設定情報として登録され、表示権設定情報テーブル４６が更新される。表示権設定情報テーブル４６を参照すれば、例えば、対象病状「ＢＢＢ」における表示優先順位「１位」の表示権取得者は「ＵＵＵ」であり、薬剤「ｄｄｄ」に表示権（１位）が付与されていることが特定できる。落札者４８８からの決算処理が所定期間実行されなかった場合（Ｓ３０４のＮｏ）、表示権設定処理手段４２は、入札情報テーブル４８の落札者を取消し、次点の入札者を新たな表示権を落札した者として落札者４８８に登録する（Ｓ３０２）。
【００５７】
表示権設定処理手段４２は、落札者を決定した後、決算処理実行を確認するまでの間に、入札に係る会計情報（表示権取得者、入札金額、支払期日、支払方法）などを会計サーバ６に送信してもよい。
【００５８】
[開札結果確認処理]
図１０は、開札結果確認処理の一例を示すフローチャートである。開札結果確認処理では、表示権設定処理手段４２は、事業者端末９からの要求に基づき、事業者端末９に適宜の開札結果確認画面を表示する（Ｓ４０１）。事業者が所定の情報（例えば、入札管理ＩＤ、事業者ＩＤなど）を入力すると、入札情報テーブル４８の入札管理ＩＤなどに基づいて、事業者の入札情報を検索し（Ｓ４０２）、開札結果として、例えば、希望の表示優先順位において表示権を取得できたか否かなどの結果を開札結果確認画面に表示する（Ｓ４０３）。この場合、必要に応じて、決算処理の要求、他の表示優先順位での表示権取得者、表示権が付与された薬剤などを表示してもよい。また、開札結果確認画面を介さずに、表示権設定処理手段４２などが各入札者に対し入札結果を通知してもよい。
【００５９】
なお、上述した例では、入札形式により、表示優先順位毎の表示権を販売する形態を説明したが、本発明はこれに限定されない。例えば、競売形式により、表示優先順位毎の表示権を販売してもよいし、所定の金額で表示権を販売してもよいし、ジェネリック薬品に対して優先的に表示権を販売してもよい。
【００６０】
[電子カルテ情報登録処理]
医療機関に設置される医師端末８を介して、利用者（医師）が電子カルテ作成サービスを利用するための認証手続きを完了させると、利用者に付与された権限の範囲で電子カルテサーバ２と医師端末８とが連携可能な状態となり、医師端末８に各種の電子カルテ情報を入力させるための電子カルテ画面が表示される。電子カルテ画面の一つには図１２に示す処方オーダー入力画面１０などが含まれる。患者が初めて来院する場合、初診などである場合には、電子カルテサーバ２の制御手段２０は、受付時に収集された患者の情報（氏名、性別、生年月日、身長、体重、血液型、症状（問診票の内容）など）を取得し、かかる情報を電子カルテ情報データベースの適宜のテーブルに新規に登録しておくことが好ましい。再診などであって、電子カルテ情報データベースに既に該当する患者の電子カルテ情報が登録されている場合には、患者の電子カルテ情報の一部を取得し、医師端末８に一部の項目が入力済みの状態である電子カルテ画面を提供してもよい。
【００６１】
[処方オーダー登録処理]
図１１は、処方オーダー登録処理の一例を示すフローチャートである。図１２は、処方オーダー入力画面１０の一例を示す図である。
【００６２】
処方オーダー登録処理では、まず、処方オーダー処理手段２２は、処方オーダー入力画面１０を医師端末８に表示する（Ｓ５０１）。処方オーダー入力画面１０は、例えば、図１２に示すように、患者の診断結果から該当する可能性のある複数の病状を表示し、医師により特定の病状を選択させる病状選択欄１１と、表示権に基づき画面の上位に優先表示枠が表示される薬剤候補表示欄１２と、その他の薬剤候補を表示するその他候補表示欄１３と、最終的な処方オーダーを表示するための処方オーダー表示欄１４、入力した処方オーダーを登録するための登録ボタン１５などを含む。病状選択欄１１には、電子カルテ情報に入力された症状、病名等から病状を自動で表示されることが好ましいが、医師によって病状を入力できるように構成されてもよい。薬剤候補表示欄１２には、図１２においては、２つの優先表示枠が設定されており、それぞれ薬剤名、アナウンスメント、製造会社が表示されているが、薬剤名だけでもよい。その他候補表示欄１３には、表示権が付与されていない薬剤が表示されるが、その他候補表示欄１３における薬剤の表示順序は、例えば、表示権が付与された薬剤を除いた中で採用実績の高い順に表示することが好ましい。
【００６３】
次いで、処方オーダー処理手段２２は、病状選択欄１１に表示された複数の病状（例えば「ＡＡＡ」「ＢＢＢ」「ＣＣＣ」）から医師により選択された病状（例えば「ＢＢＢ」）を取得し（Ｓ５０２）、薬剤一覧表示処理手段２４に対し、医師により選択された病状に対応する薬剤一覧を表示させる（Ｓ５０３）。
【００６４】
薬剤一覧表示処理手段２４は、図２に示す病状薬剤情報テーブルを参照して、病状「ＢＢＢ」に対応付けられた薬剤「ａａａ」「ｂｂｂ」「ｃｃｃ」「ｄｄｄ」「ｅｅｅ」…及び表示権管理ＩＤ（「★★★」）を取得する。さらに、薬剤一覧表示処理手段２４は、図４に示す表示権設定情報テーブル４６を参照して、表示権が付与された薬剤「ｄｄｄ」（表示優先順位「１位」）と「ｅｅｅ」（表示優先順位「２位」）を取得する。そして、処方オーダー入力画面１０において、薬剤「ｄｄｄ」を薬剤候補表示欄１２の表示優先順位１位の優先表示枠に表示し、薬剤「ｅｅｅ」を２位の優先表示枠に表示する（Ｓ５０３）。また、表示権の付与されていない他の薬剤「ａａａ」「ｂｂｂ」「ｃｃｃ」をその他候補表示欄１３に表示してもよい。また、薬剤一覧表示処理手段２４は、図４に示す表示権設定情報テーブル４６から薬剤「ｄｄｄ」及び「ｅｅｅ」のアナウンスメント、製薬会社などを取得し、薬剤候補表示欄１２の優先表示枠に合わせて表示してもよい。処方薬を決定する医師は、薬剤のアナウンスメントなども参考にして、自己が好ましいと判断した所望の薬剤（例えば、表示優先順位「１位」の薬剤「ｄｄｄ」）を選択することができる。なお、表示権が付与された薬剤であっても、電子カルテ情報に記憶された患者のアレルギー、既往歴、他の服用薬との組合せなどから処方薬とすることが妥当ではない場合は優先表示枠に表示しなくてもよい。なお、図１２においては、薬剤候補表示欄１２とその他候補表示欄１３とを別々の欄に表示しているが、薬剤候補表示欄として、一つの欄において上方に優先表示枠を配置し、下方にその他候補を配置してもよい。
【００６５】
医師によって、処方薬が選択され、用法用量などを入力されると、処方オーダー処理手段２２は、処方オーダー表示欄１４に処方オーダーを表示し（Ｓ５０４）、所定のチェックを経て、登録ボタン１５の操作を有効にする。医師によって登録ボタンが操作されると、処方オーダー処理手段２２は、処方オーダー情報（病状、処方薬、用法用量など）を取得し、かかる処方オーダー情報を処方オーダー情報テーブル２７の所定の項目に登録する（Ｓ５０５）。処方オーダー処理手段２２は、医師によって選択された処方薬の中に、優先表示枠に表示された表示権が付与されている薬剤が含まれる場合、当該表示権が付与されている薬剤が採用されたこと、処方された用量などを記憶してもよい。例えば、処方オーダー情報を登録する際に、表示権設定情報テーブル４６の該当薬剤について採用回数や採用用量などの実績を記憶してもよく、さらに、薬剤のある期間内における総採用回数や総採用用量などの実績を算出できるようにしてもよい。なお、図１１のフローチャートのＳ５０４においては、医師が用法用量などを入力したが、処方オーダー処理手段２２が、図示しない各薬剤の用量データベース等を参酌して、医師が選択した処方薬及び電子カルテに記憶された患者情報（年齢、体重等）に基づいて、一般的な用法用量などを自動で表示するように構成してもよい。
【００６６】
[処方オーダー分析処理]
図１３は、対価算出処理を含む処方オーダー分析処理の一例を示すフローチャートである。処方オーダー分析処理では、処方オーダー処理手段２２は、優先表示枠に表示された表示権が付与されている薬剤の実績を事業者（表示権取得者）に開示し、さらに会計サーバ６の対価算出処理手段６２と協働して対価算出処理などを実行する。処方オーダー処理手段２２は、処方オーダー情報テーブル２７を参照して、適当な期間内における複数の処方オーダーに含まれる複数の処方薬を取得する（Ｓ６０１）。処方オーダー処理手段２２は、例えば、表示権設定情報テーブル４６などを参照して、取得した複数の処方薬の中から表示権が付与されている薬剤、すなわち優先表示枠に表示された薬剤を特定し、期間内における実績を算出する（Ｓ６０２）。そして、処方オーダー処理手段２２は、表示権が付与されている薬剤について、算出した実績を当該薬剤の表示権取得者（事業者）に開示する（Ｓ６０３）。さらに、対価算出処理手段６２は、算出した実績を処方オーダー処理手段２２から取得し、実績に基づいて対価を算出し（Ｓ６０４）、算出した対価を当該薬剤の表示権取得者（事業者）に請求する（Ｓ６０５）。
【００６７】
薬剤の実績は、例えば、処方薬に採用された回数、用量などである。図１３では、処方オーダー情報テーブル２７及び表示権設定情報テーブル４６などを参照して算出したが、処方オーダー処理手段２２が、処方オーダー情報を登録する際に、実績を情報として記憶しておき、処方オーダー分析処理において、かかる実績の情報を利用してもよい。適当な期間としては、例えば、１日、１週間、１か月、数か月単位など任意に設定でき、場合によっては、適当な期間として次に処方薬として採用されるまでの期間を設定し、表示権が付与された薬剤が採用される度に処理を実行してもよい。算出した実績を開示する方法としては、特に限定されず、例えば、事業者の事業者端末９に適宜の処方オーダー分析画面を表示し、そこに実績を表示することにより開示してもよいし、事業者端末９にメールなどで実績を送信することにより開示してもよいし、別途書面を送付することで開示してもよい。実績に基づく対価の算出は、予め設定された算定式を利用すればよく、例えば、採用１回につき対価の単価を設定してもよいし、薬剤の採用用量（重量、錠剤数、容積など）を単位として対価の単価を設定してもよい。対価の請求は、例えば、実績の開示と併せて行ってもよいし、別途、メールや書面で通知してもよい。
【００６８】
さらに、処方オーダー分析処理として、所定期間内において、表示権が付与された薬剤が採用された回数や総用量、表示権が付与された薬剤が採用されずに表示権が付与されていない薬剤が採用された回数、表示優先順位毎の採用割合、時系列での採用実績の分布などを統計的に処理し、優先表示枠の効果に関するレポートを作成し、事業者に提供してもよい。
【００６９】
[会計処理]
図１４は、会計処理の一例を示すフローチャートである。会計処理では、会計サーバ６の決済処理手段６４は、管理端末７に適宜の会計処理画面を表示することができる（Ｓ７０１）。決済処理手段６４は、落札者から提供され、自己の記憶手段などに格納された会計情報などを取得し（Ｓ７０２）、会計情報に登録された内容から請求書を作成し（Ｓ７０３）、請求書を事業者に送付する。入金が確認できた後、会計サーバ６は、会計情報を支払済みに更新する（Ｓ７０４）。会計情報は、入札時に入力させてもよいし、落札者に落札したことを伝える際に入力させてもよい。
【００７０】
なお、決済処理手段６４は、落札者に対し、表示権を落札した際に落札金額の全部を一時に請求してもよいが、例えば、落札時に落札金額の一部だけを請求し、落札金額の一部が落札者から入金されれば、表示権設定情報テーブル４６に表示権取得者４６６として登録し（図９のＳ３０５）、その後、表示権の付与された薬剤が処方オーダーとして採用された実績に基づいて落札金額の残りを請求するように構成してもよい。これにより、事業者は、相応の負担で表示権による効果の恩恵を受けることができる。
【００７１】
上述した例では、優先表示枠に薬剤だけではなく、アナウンスメント、製造会社なども表示していたが、これらの情報を表示しなくてもよい。図１５は、アナウンスメントを表示せず、優先表示枠とその他候補とを一つの欄に表示した処方オーダー入力画面１１０の例を示す図である。図１５においても、図１２と同様に、病状選択欄１１、処方オーダー表示欄１４、登録ボタン１５などを含むが、薬剤候補欄１１２が一つだけ設けられている。図１５の薬剤候補欄１１２には、９つの薬剤が表示されており、左上の枠（薬剤［ｄｄｄ］）とその右隣の枠（薬剤［ｅｅｅ］）が優先表示枠であり、それ以外がその他の薬剤候補が表示される。優先表示枠には薬剤名だけが表示され、その他の候補と表示内容は変わらないが、目につきやすい薬剤一覧の最初の方の枠を優先表示枠とし、そこに表示権を持つ薬剤を常に表示することができる。図１５では、左上の枠とその右隣の枠を優先表示枠としたが、優先表示枠の位置を限定するものではなく、例えば、左上とその下の枠を優先表示枠としてもよい。また、優先表示枠については、薬剤名を選択すると、アナウンスメントなどがポップアップで表示されるように構成してもよい。
【符号の説明】
【００７２】
１  処方薬管理システム
２  電子カルテサーバ
４  表示権管理サーバ
５  医師端末
６  会計サーバ
７  管理端末
８  医師端末
９  事業者端末
１０  処方オーダー入力画面
２０  制御手段
２２  処方オーダー処理手段
２４  薬剤一覧表示処理手段
２５  記憶手段
２６  病状薬剤情報テーブル
２７  処方オーダー情報テーブル
４０  制御手段
４２  表示権設定処理手段
４５  記憶手段
４６  表示権設定情報テーブル
４７  事業者情報テーブル
４８  入札情報テーブル
６２  対価請求処理手段
６４  決算処理手段
１００  ネットワーク
【図１】
2018081524.tif 000003
【図２】
2018081524.tif 000004
【図３】
2018081524.tif 000005
【図４】
2018081524.tif 000006
【図５】
2018081524.tif 000007
【図６】
2018081524.tif 000008
【図７】
2018081524.tif 000009
【図８】
2018081524.tif 000010
【図９】
2018081524.tif 000011
【図１０】
2018081524.tif 000012
【図１１】
2018081524.tif 000013
【図１２】
2018081524.tif 000014
【図１３】
2018081524.tif 000015
【図１４】
2018081524.tif 000016
【図１５】
2018081524.tif 000017